【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
オーディオ・エンコード・システムにおいてアップミックス行列をエンコードする方法であって、前記アップミックス行列の各行は、M個のチャネルを含むダウンミックス信号からのオーディオ・オブジェクトの時間／周波数タイルの再構成を許容するM個の要素を含み、当該方法は：
前記アップミックス行列における各行について：
前記アップミックス行列におけるその行のM個の要素から要素の部分集合を選択し；
要素の選択された部分集合における各要素を、値および前記アップミックス行列における位置によって表現し；
要素の選択された部分集合における各要素の、値および前記アップミックス行列における位置をエンコードすることを含み、
前記アップミックス行列における各行についておよび複数の周波数帯域または複数の時間フレームについて、要素の選択された部分集合の要素の値および／または要素の位置が、パラメータの一つまたは複数のベクトルを形成し、該パラメータのベクトルにおける各パラメータは、前記複数の周波数帯域または前記複数の時間フレームのうちの一つに対応し、パラメータの前記一つまたは複数のベクトルは、請求項１ないし７のうちいずれか一項記載の方法を使ってエンコードされる、
方法。
【請求項２】
前記アップミックス行列における各行について、前記選択された部分集合の要素の、前記アップミックス行列における位置は、複数の周波数帯域を横断しておよび／または複数の時間フレームを横断して変わる、請求項１記載の方法。
【請求項３】
要素の選択された部分集合は、前記アップミックス行列の各行について同数の要素を含む、請求項１記載の方法。
【請求項４】
処理機能をもつ装置上で実行されたときに請求項１記載の方法を実行するよう適応されたコンピュータ・コード命令を有するコンピュータ可読記憶媒体。
【請求項５】
オーディオ・エンコード・システムにおいてアップミックス行列をエンコードするエンコーダであって、前記アップミックス行列の各行は、M個のチャネルを含むダウンミックス信号からのオーディオ・オブジェクトの時間／周波数タイルの再構成を許容するM個の要素を含み、当該エンコーダは：
前記アップミックス行列における各行を受領するよう適応された受領コンポーネントと；
前記アップミックス行列における当該行のM個の要素から要素の部分集合を選択するよう適応された選択コンポーネントと；
要素の選択された部分集合における各要素を、値および前記アップミックス行列における位置によって表現するよう適応されたエンコード・コンポーネントとを有し、前記エンコード・コンポーネントはさらに、要素の選択された部分集合における各要素の、値および前記アップミックス行列における位置をエンコードするよう適応されており、
前記アップミックス行列における各行についておよび複数の周波数帯域または複数の時間フレームについて、要素の選択された部分集合の要素の値および／または要素の位置が、パラメータの一つまたは複数のベクトルを形成し、該パラメータのベクトルにおける各パラメータは、前記複数の周波数帯域または前記複数の時間フレームのうちの一つに対応し、該パラメータのベクトルは第一の要素および少なくとも一つの第二の要素をもち、前記エンコード・コンポーネントは、パラメータの前記一つまたは複数のベクトルをエンコードすることを、各ベクトルについて：
N通りの値を取り得るインデックス値によって前記ベクトル中の各パラメータを表現する段階と；
前記少なくとも一つの第二の要素のそれぞれをシンボルに関連付ける段階であって、前記シンボルは：
前記第二の要素のインデックス値と前記ベクトル中でその先行する要素のインデックス値との間の差を計算し；
該差にモジュロNを適用することによって計算される、段階と；
前記少なくとも一つの第二の要素に関連付けられた前記シンボルを、シンボルの確率を含む確率テーブルに基づいてエントロピー符号化することによって、前記少なくとも一つの第二の要素のそれぞれをエンコードする段階と；
前記ベクトル中の前記第一の要素をシンボルと関連付ける段階であって、前記シンボルは：
前記ベクトル中の前記第一の要素を表わすインデックス値を、該インデックス値からあるオフセット値を引くことによってシフトし；
シフトされたインデックス値にモジュロNを適用することによって計算される、段階と；
前記少なくとも一つの第二の要素をエンコードするために使われる同じ確率テーブルを使った前記第一の要素に関連付けられたシンボルのエントロピー符号化によって、前記第一の要素をエンコードする段階とを実行することによって行なうよう適応されている、
エンコーダ。
【請求項６】
オーディオ・デコード・システムにおいてオーディオ・オブジェクトの時間／周波数タイルを再構成する方法であって：
M個のチャネルを含むダウンミックス信号を受領する段階と；
アップミックス行列におけるある行のM個の要素の部分集合を表わす少なくとも一つのエンコードされた要素を受領する段階であって、各エンコードされた要素は、値および前記アップミックス行列におけるその行における位置を含み、前記位置は、そのエンコードされた要素が対応する前記ダウンミックス信号の前記M個のチャネルのうちの一つを指示する、段階と；
前記少なくとも一つのエンコードされた要素に対応する前記ダウンミックス・チャネルの線形結合を形成することによって前記ダウンミックス信号から前記オーディオ・オブジェクトの前記時間／周波数タイルを再構成する段階であって、前記線形結合において、各ダウンミックス・チャネルはその対応するエンコードされた要素の値を乗算される、段階とを含み、
複数の周波数帯域または複数の時間フレームについて、前記少なくとも一つのエンコードされた要素の値および／または位置が一つまたは複数のベクトルを形成し、各位置はエントロピー符号化されたシンボルによって表わされ、エントロピー符号化されたシンボルの各ベクトルにおける各シンボルは、前記複数の周波数帯域または前記複数の時間フレームの一つに対応し、エントロピー符号化されたシンボルの前記一つまたは複数のベクトルは、請求項９ないし１４のうちいずれか一項記載の方法を使ってデコードされる、
方法。
【請求項７】
前記少なくとも一つのエンコードされた要素の位置は、複数の周波数帯域を横断しておよび／または複数の時間フレームを横断して変わる、請求項６記載の方法。
【請求項８】
処理機能をもつ装置上で実行されたときに請求項６記載の方法を実行するよう適応されたコンピュータ・コード命令を有するコンピュータ可読記憶媒体。
【請求項９】
オーディオ・オブジェクトの時間／周波数タイルを再構成するデコーダであって：
M個のチャネルを含むダウンミックス信号およびアップミックス行列におけるある行のM個の要素の部分集合を表わす少なくとも一つのエンコードされた要素を受領するよう構成された受領コンポーネントであって、各エンコードされた要素は、値および前記アップミックス行列におけるその行における位置を含み、前記位置は、そのエンコードされた要素が対応する前記ダウンミックス信号の前記M個のチャネルのうちの一つを指示する、受領コンポーネントと；
前記少なくとも一つのエンコードされた要素に対応する前記ダウンミックス・チャネルの線形結合を形成することによって前記ダウンミックス信号から前記オーディオ・オブジェクトの前記時間／周波数タイルを再構成するよう構成された再構成コンポーネントとを有しており、前記線形結合において、各ダウンミックス・チャネルはその対応するエンコードされた要素の値を乗算され、
複数の周波数帯域または複数の時間フレームについて、前記少なくとも一つのエンコードされた要素の値および／または位置が一つまたは複数のベクトルを形成し、各位置はエントロピー符号化されたシンボルによって表わされ、エントロピー符号化されたシンボルの各ベクトルにおける各シンボルは、前記複数の周波数帯域または前記複数の時間フレームの一つに対応し、
当該デコーダはさらに、エントロピー符号化されたシンボルの前記一つまたは複数のベクトルをパラメータの一つまたは複数のベクトルにデコードするよう構成されたデコード・コンポーネントを有しており、
エントロピー符号化されたシンボルの各ベクトルは、第一のエントロピー符号化されたシンボルおよび少なくとも一つの第二のエントロピー符号化されたシンボルをもち、前記パラメータのベクトルは第一の要素および少なくとも一つの第二の要素をもち、
前記デコード・コンポーネントは、エントロピー符号化されたシンボルの前記一つまたは複数のベクトルのそれぞれをデコードすることを：
確率テーブルを使うことによって、N通りの整数値を取り得るシンボルによって、エントロピー符号化されたシンボルの前記ベクトルにおける各エントロピー符号化されたシンボルを表現する段階と；
前記第一のエントロピー符号化されたシンボルをインデックス値に関連付ける段階と；
前記少なくとも一つの第二のエントロピー符号化されたシンボルのそれぞれをインデックス値に関連付ける段階であって、前記少なくとも一つの第二のエントロピー符号化されたシンボルのインデックス値は：
エントロピー符号化されたシンボルの前記ベクトルにおける前記第二のエントロピー符号化されたシンボルに先行するエントロピー符号化されたシンボルに関連付けられたインデックス値と、前記第二のエントロピー符号化されたシンボルを表わすシンボルとの和を計算し；
該和にモジュロNを適用することによって計算される、段階と；
前記パラメータのベクトルの前記少なくとも一つの第二の要素を、前記少なくとも一つの第二のエントロピー符号化されたシンボルに関連付けられたインデックス値に対応するパラメータ値によって表現する段階であって、
シンボルによって、エントロピー符号化されたシンボルの前記ベクトルにおける各エントロピー符号化されたシンボルを表現する前記段階は、エントロピー符号化されたシンボルの前記ベクトルにおけるすべてのエントロピー符号化されたシンボルについて同じ確率テーブルを使って実行され、前記第一のエントロピー符号化されたシンボルに関連付けられたインデックス値は：
エントロピー符号化されたシンボルの前記ベクトル中の前記第一のエントロピー符号化されたシンボルを表わすシンボルを、該シンボルにあるオフセット値を加えることによってシフトし；
シフトされたシンボルにモジュロNを適用することによって計算される、段階と；
前記パラメータのベクトルの前記第一の要素を、前記第一のエントロピー符号化されたシンボルに関連付けられたインデックス値に対応するパラメータ値によって表現する段階とを実行することによって行なうよう構成されている、
デコーダ。